(57)【特許請求の範囲】
【請求項１】
一本の支持柱体に一乃至複数の照明器具が配置され、照明器具は反射体を有し、反射体内には前面のガラス板と平行に円筒状のランプが収納され、反射体から横方向に突出した円筒状の突出部にソケットが配置されるタイプであって互いに直交する方向に配置された二つの環状部を有する支持部材により支持柱体に支持され、支持部材の一方の環状部は支持柱体に嵌着され、他方の環状部には照明器具の前記円筒状の突出部が回転可能に嵌着されて、照明器具が支持柱体の長手方向軸線及びそれと直交する、照明器具の突出部の長手方向軸線を中心に回動できることを特徴とする照明装置。
【請求項２】
支持部材の支持柱体に嵌着される環状部の一部が切り欠かれてコ字形に伸延して他方の環状部に連結され、コ字形の伸延部の両側部は他方の環状部に向かってその間隔が狭まるように配置されていると共に、両側部間に締め付け部材が配置されている請求項１に記載の照明装置。
【請求項３】
支持柱体が、地面に垂直に立てられた断面が円形の長いポールである請求項１又は２に記載の照明装置。
【請求項４】
支持部材の支持柱体に嵌着される環状部に照明器具用の安定器が取付けできる取付け部材が配置されている請求項１から３のいづれか一つに記載の照明装置。
【請求項５】
支持柱体に照明器具用のケーブルを保持するリング状のケーブル保持部材が回動自在に支持部材の上に嵌着されている請求項１から４のいづれか一つに記載の照明装置。
【請求項６】
支持柱体の端部に、ケーブルが通る一乃至複数の孔を有し又ケーブルが接続される端子台を有するキャップ部材が嵌着されている請求項１から５のいづれか一つに記載の照明装置。
【請求項７】
基台上に環状の案内部材が配置され、この案内部材に、直交する方向に配置された二つの環状部を有する支持部材の一方の環状部が嵌着され、支持部材の他方の環状部に前面開口部と平行に横方向に突出した円筒状の突出部を有する照明器具の突出部が回転可能に嵌着されて、照明器具が案内部材の中心軸線及び照明器具の突出部の長手方向軸線を中心に回動できることを特徴とする照明装置。
【発明の詳細な説明】
【０００１】
【発明の属する技術分野】
本発明は照明装置に関する。
【０００２】
【従来の技術】
例えば屋外において、種々の方向に照射するため複数の投光器を設置する場合、図１１のようにポール５０の上方に横方向に伸びるアーム部材５１を取り付け、ここに複数の照明器具５２を取付けたりしている。
【０００３】
【発明が解決しようとする課題】
しかしこのような設置の仕方では、複数の重い投光器がアーム部材に取り付けられるため不安定であり、デザイン的にも優れず、また各照明器具への配線も繁雑となり見苦しい。またアーム部材のポールへの取付けや照明器具のアーム部材への取り付けに多くの取付け金具を必要としコストが上昇し、取り付け作業に時間もかかる。しかも設置後の照明器具の増設もアーム部材を増設しなければならないなど大がかりな工事を必要とした。
【０００４】
本発明は、設置が簡単で、設置時や設置後の照明器具の向きの設定や変更が簡単な照明装置を提供し、また複数の重い照明器具でも安全に設置でき増設の簡単な照明装置を提供することを目的としている。
【０００５】
【課題を解決するための手段】
本発明の照明装置は、一本の支持柱体に一乃至複数の照明器具が配置され、照明器具は反射体を有し、反射体内には前面のガラス板と平行に円筒状のランプが収納され、反射体から横方向に突出した円筒状の突出部にソケットが配置されるタイプであって互いに直交する方向に配置された二つの環状部を有する支持部材により支持柱体に支持され、支持部材の一方の環状部は支持柱体に嵌着され、他方の環状部には照明器具の前記円筒状の突出部が回転可能に嵌着されて、照明器具が支持柱体の長手方向軸線及びそれと直交する、照明器具の突出部の長手方向軸線を中心に回動できることを特徴とする。
【０００６】
また支持部材の支持柱体に嵌着される環状部の一部が切り欠かれてコ字形に伸延して他方の環状部に連結され、コ字形の伸延部の両側部は他方の環状部に向かってその間隔が狭まるように配置されていると共に、両側部間に締め付け部材が配置されていることを特徴とする。
【０００７】
さらに支持柱体は、地面に垂直に立てられた断面が円形の長いポールであってもよい。
【０００８】
また支持部材の支持柱体に嵌着される環状部に照明器具用の安定器が取付けできる取付け部材が配置されていてもよい。
【０００９】
さらに支持柱体に照明器具用のケーブルを保持するリング状のケーブル保持部材が回動自在に支持部材の上に嵌着されていてもよい。
【００１０】
また支持柱体の端部に、ケーブルが通る一乃至複数の孔を有しケーブルが接続される端子台を有するキャップ部材が嵌着されていてもよい。
【００１１】
さらに本発明の照明装置は、基台上に環状の案内部材が配置され、この案内部材に、直交する方向に配置された二つの環状部を有する支持部材の一方の環状部が嵌着され、支持部材の他方の環状部に前面開口部と平行に横方向に突出した円筒状の突出部を有する照明器具の突出部が回転可能に嵌着されて、照明器具が案内部材の中心軸線及び照明器具の突出部の長手方向軸線を中心に回動できることを特徴とする。
【００１２】
【発明の実施の形態】
図１の本発明装置において、地面に垂直に立てられた横断面が円形の支持柱体である中空の鉄製のポール１が設置され、ポール１には３個の照明器具２（２ａから２ｃ）が取付けられている。照明器具の数は三つに限らず一つや二つでも或いは三つ以上でもよい。
【００１３】
各照明器具２には、図２及び図３のように、前面が開口し前面開口部３ａがガラス板３ｂ（図１）で閉塞された椀形の反射体３を有し、反射体３内には前面のガラス板と平行に円筒状の放電ランプ４が収納され、反射体３から横方向に突出した円筒状の突出部５にソケット６が配置されている薄形タイプのものが使用されている。円筒状の突出部５の側部５ａは先細り状にテーパーが付されている。
【００１４】
各照明器具２は、支持部材７によりポール１に取付けられている。支持部材７は例えばアルミ合金からなり、図４のように二つの環状部８及び９を有し、二つの環状部８及び９は互いに直交する方向に配置されるよう９０°向きを違えて配置されている。環状部８には照明器具２の円筒状の突出部５が装着され、環状部９はポール１に嵌着される。環状部８は円形で内周面８ａには突出部５のテーパーに相応するテーパーが付されている。環状部８の内周面８ａの両サイドに、突出部５に設けられた凸部５ｂが通り抜けられる凹部８ｂが設けられている。環状部８にはまた照明器具２を固定する為の固定部材であるボルト１０が通る孔８ｃが設けられている。
【００１５】
照明器具２を支持部材７に装着するには、突出部５に設けられた凸部５ｂを環状部８の凹部８ｂに合うようにして、突出部５を環状部８に挿入していく。環状部８と突出部５のテーパーにより、突出部５の凸部５ｂが環状部８を通過したところでそれ以上挿入できなくなり、その状態で突出部５を回転させその先端に蓋部１１を配置し、その蝶ネジ１１ａを突出部５の凸部５ｂに設けられたネジ穴（図示せず）に螺合して突出部５に固定する。環状部８と当接する突出部５の凸部５ｂがストッパーとなり、突出部５は環状部８から抜けなくなる。
【００１６】
一方、ポール１に装着される環状部９は大部分が円形であるが、円形の一部が切れてコ字形に突出して環状部８の方に伸延し、この伸延部９ａの端部が環状部８に溶接などで連結されている。環状部９のコ字形に突出している伸延部９ａの両側部９ｂは先の方（環状部８の方）に行くにしたがって狭まるようになされている。このコ字形に突出している伸延部９ａに配置されているボルト１２で締め付けて、環状部９をポール１に固定するようになされている。環状部９は剛性の材料又はアルミニウム等の弾性の材料から作られている。なお環状部８も同じ材料であっても或いは異なる材料であってもよい。
【００１７】
環状部９をポール１に装着して所望の位置に移動した後ボルト１２を締めていくと、両側部９ｂ間の間隔が狭まり、両側部が互いに平行になり環状部９のコ字形の伸延部９ａを除く部分が円形になりポール１に内周全面で接触ししっかり固定される。このように環状部９は柔軟構造をしている。なお支持部材７に照明器具２が装着されていると、移動の為環状部９のボルト１２を緩めても、照明器具２の重量により環状部９はポール１に対して斜めに係止して停止するので、手で支えていなくてもずり落ちることはない。支持部材７をポール１に対して真横にして水平にすればポール１に沿って移動できる。
【００１８】
図５のように各照明器具２ａから２ｃは別々の方向を照射するように指向させるなどその方向は自由である。各照明器具２は、ポール１の長手方向軸線Ａ（図１）だけでなく、この軸線と直交する、照明器具２の突出部５の長手方向軸線Ｂを中心に回転できるので、複数の照明器具を使用した場合かなり広範囲の照射範囲をカバーできる。
【００１９】
各照明器具２から引き出された各ケーブル１３は風により動揺しないようポール１に沿って導くのが好ましく、そのため従来はステンレス等のバンドで固定したり、ポールの途中に穴を設けポール内に引き込んでいたが、作業を能率的にし又照明器具の位置が可変なため、本発明ではケーブル保持部材１４（図６）がポール１に嵌着され、図８のように各支持部材７の環状部９の上で止まるように配置されている。ケーブル保持部材１４はリング状でその周囲にケーブル１３が入りこむ複数のケーブル保持部１４ａを有している。ケーブル保持部材１４はプラスチック、ゴム、ステンレス等の金属から作られているが材質はこれらに限定されるものではない。ケーブル保持部１４ａの数は保持されるケーブルの本数により決められる。またケーブル保持部１４ａの形状を変えて一ヶ所のケーブル保持部１４ａに複数のケーブルを保持するようにしてもよい。
【００２０】
また、ケーブルはポール１の下方にそれぞれ導いてもよいが、長いケーブルを必要とするので、コストの点及び風等の影響、また美観の点からケーブルを短くする方が好ましい。その為各ケーブルをポール１の上端部からポール１内に引き込み、ポール１の内部の上方に端子台を設けるのがよい。そこでポール１の上端部に図７及び図８のようなキャップ部材１５が装着されている。キャップ部材１５は円形で垂下するその周側部に複数個の孔１５ａを有し、また内部中央に端子台１６が下方に向かって装着されている。ケーブル１３は孔１５ａからポール１内に入り端子台１６に接続される。なお端子台１６は別のケ−ブルによりポール１内の下方に配置された安定器１７（図１）に接続されている。１ａは安定器１７の保守用の蓋付き開口である。
【００２１】
また図８のように支持部材７の環状部９に安定器１７ａを取付けてもよく、そのために環状部９に取付け部材１８（図４）を設けてもよい。
【００２２】
ポール１（支持柱体）は、その断面が円形に限らず角形、多角形等の他の形状のものを使用してもよいが、その場合にはそれに応じてポールに装着される部材の形状を変えてもよい。
【００２３】
本発明の照明装置は、図１のような縦に立てられたポールタイプに限らず、図９のように例えばイベント会場の天井付近等に設置された、横方向に配置された横ポール２４に装着されてもよい。
【００２４】
また縦のポール１や横ポール２４に限らず、図１０のように壁面や支柱上等に設置された基台１９上に配置することもできる。即ち基台１９上に支持柱体として環状の案内部材２０を設け、これに支持部材７の環状部９を装着し、環状部９の上に押さえ部材２１を配置し、軸線２２の位置にボルト等を通して支持部材７を回動可能に保持するようにしてもよい。なお環状の案内部材２０は連続でなく断続的に環状に設けられていてもよい。
【００２５】
【発明の効果】
本発明の照明装置では、照明装置をしっかりとした一本のポ−ル等の支持柱体に装着できるので、重量のある複数の照明器具を安全に取付けることができる。照明器具は２つの環状部を有する支持部材により支持柱体に固定されるので、取付けが簡単である。また工事者は単に支持柱体に装着する照明器具を増設するだけで容易に種々の照明環境に対応できる。
【００２６】
照明器具の取付けに使用する支持部材はすべて同じものであるので、現場ごとに長さの異なるアーム部材等別の取付け部材を準備する必要がない。しかも照明器具は支持柱体の長手方向軸線及びそれと直交する、照明器具の突出部の長手方向軸線を中心に回動できるので、任意の高さと又任意の向きに照明器具を容易に設定できる。
【００２７】
また支持部材の支持柱体に嵌着される環状部の一部が切り欠かれてコ字形に伸延して他方の環状部に連結され、コ字形の伸延部の両側部は他方の環状部に向かってその間隔が狭まるように配置されていると共に、両側部間に締め付け部材が配置されているので、環状部が支持柱体と面接触ししっかり固定される。
【００２８】
これは例えばポールの径より一回り大きな径が不動の環状部をポールに嵌着し、環状部の複数箇所に配置された押しネジやボルトを用いネジやボルトの先端を支持柱体の点接触させて固定する場合に比べて、重量の大きい照明器具でも安全に保持でき、またポ−ルに傷が付くようなことがない。
【００２９】
断面が円形の支持柱体が、長いポールで、これに一乃至複数の照明器具が配置されていると、屋外に縦にポールを設置した場合や、屋内の天井付近等に配置された横ポールに、照明器具を繁雑でなくスマートに配置できる。
【００３０】
支持部材の支持柱体に嵌着される環状部に照明器具用の安定器が取付けできる取付け部材が配置されていると、安定器を設置する為に別途取付具を配置する必要がなく、しかも安定器を照明器具の近くに設置できる。
【００３１】
支持柱体に照明器具用のケーブルを保持するリング状のケ−ブル保持部材が回動自在に支持部材の上に嵌着されていると、ケ−ブル保持部材が容易に位置決めでき、またケーブルがポールに沿って固定され、しかもたるまないので風等の影響を受けにくい。
【００３２】
支持柱体の端部に、ケーブルが通る一乃至複数の孔を有しまたケーブルが接続される端子台を有するキャップ部材が配置されていると、ケーブルを短くでき風の影響を少なくできる。
【００３３】
基台上に配置された環状の案内部材に、支持部材の環状部を嵌合するようにすると、照明器具を壁面に取付けたり、他の機器と組み合わせて配置できる。
【図面の簡単な説明】
【図１】本発明の照明装置の一実施の形態を示す図。
【図２】図１の平面図。
【図３】照明器具の１つを支持部材から分解して示す図。
【図４】支持部材を示す図。
【図５】３つの照明器具を異なる方向に配置した状態を示す図。
【図６】ケーブル保持部材を示す図。
【図７】キャップ部材を示す図。
【図８】ポールにケーブル保持部材及びキャップ部材等を装着した状態を示す図。
【図９】横ポールに照明装置が装着された状態を示す図。
【図１０】本発明の別の実施の形態を示す図。
【図１１】従来の照明装置を示す図。
【符号の説明】
１  ポール（支持柱体）
２  照明器具
３  反射体
４  ランプ
５  突出部
６  ソケット
７  支持部材
８  環状部
９  環状部
１１  蓋部
１２  ボルト（締め付け部材）
１３  ケーブル
１４  ケーブル保持部材
１５  キャップ部材
１７  安定器
２４  横ポール
１９  基台
２０  案内部材
【図１】
0004152007.tif 000002
【図２】
0004152007.tif 000003
【図３】
0004152007.tif 000004
【図４】
0004152007.tif 000005
【図５】
0004152007.tif 000006
【図６】
0004152007.tif 000007
【図７】
0004152007.tif 000008
【図８】
0004152007.tif 000009
【図９】
0004152007.tif 000010
【図１０】
0004152007.tif 000011
【図１１】
0004152007.tif 000012